(57)【要約】    【課題】  パチンコ機のシールド板金のアース接続作業を簡単化しながら、メインテナンス性及びシールド板金の電気的接続の信頼性を向上させる。    【解決手段】  払出制御基板２４用のシールド板金２６は、払出制御基板ボックス２２の前面に固定し、機構板１２に対して払出制御基板ボックス２２とシールド板金２６とを一体的に脱着可能に設ける。一方、電源基板２５用のシールド板金２７は、機構板１２の裏面に固定する。そして、払出制御基板ボックス２２を機構板１２の裏面に組み付けたときに、払出制御基板２４用のシールド板金２６の接触部２８を電源基板２５用のシールド板金２７の接触部２９に接触させて、払出制御基板２４用のシールド板金２６と電源基板２５用のシールド板金２７とを電気的に接続する。また、電源基板２５用のシールド板金２７を、本体枠に設けられたグランド側導線部材に接続してアース接続する。    【選択図】  図２
2005245907.tif 000002
【特許請求の範囲】
【請求項１】
遊技機側に設けられた取付部に配置された複数の電装基板に対して、それぞれノイズを遮蔽するためのシールド部材を設けた遊技機において、
前記シールド部材のうちの特定の電装基板用のシールド部材が該特定の電装基板と一体的又は別々に脱着可能に設けられていると共に、他の電装基板用のシールド部材が前記取付部に設置され、
前記特定の電装基板を前記取付部に組み付けたときに、該特定の電装基板用のシールド部材の接触部が前記他の電装基板用のシールド部材の接触部に接触して電気的に接続されるように構成されていることを特徴とする遊技機。
【請求項２】
前記他の電装基板用のシールド部材は、前記遊技機側に設けられたグランド側導電部材に電気的に接続されていることを特徴とする請求項１に記載の遊技機。
【請求項３】
前記特定の電装基板用のシールド部材と前記他の電装基板用のシールド部材のうちの少なくとも一方は、前記接触部が弾性変形可能に形成されていることを特徴とする請求項１又は２に記載の遊技機。
【請求項４】
前記接触部は、前記電装基板を収容する基板ボックスの側方に突出し、該接触部と該基板ボックスとの間に該接触部が弾性変形するための隙間が設けられていることを特徴とする請求項３に記載の遊技機。
【請求項５】
前記シールド部材は、導電性の金属板で形成され、その一部に前記接触部が一体的に形成されていることを特徴とする請求項１乃至４のいずれかに記載の遊技機。
【請求項６】
前記特定の電装基板と前記他の電装基板とが遊技機に対して前後方向に段差をつけて配置され、
前記特定の電装基板用のシールド部材と前記他の電装基板用のシールド部材のうちの少なくとも一方は、前記接触部が前後方向に延びるように設けられていることを特徴とする請求項１乃至５のいずれかに記載の遊技機。
【請求項７】
前記特定の電装基板を前記取付部に組み付ける際に、該特定の電装基板用のシールド部材の接触部を前記他の電装基板用のシールド部材の接触部に接触させる方向に該特定の電装基板を移動させるように構成されていることを特徴とする請求項１乃至６のいずれかに記載の遊技機。
【請求項８】
パチンコ球が流下する部材又は貯溜される部材（以下これらを「球流下部材」と総称する）が導電性材料で形成され、前記球流下部材と前記シールド部材とが電気的に接続されていることを特徴とする請求項１乃至７のいずれかに記載の遊技機。
【発明の詳細な説明】
【技術分野】
【０００１】
本発明は、複数の電装基板に対して、ノイズを遮蔽するためのシールド部材を設けた遊技機に関する発明である。
【背景技術】
【０００２】
一般に、パチンコ機等の遊技機内において使用されるパチンコ球は、球通路を流下する過程で摩擦により静電気が帯電されやすい。このパチンコ球の静電気等によって発生するノイズの影響でメイン制御基板、払出制御基板、電源基板等の電装基板が誤動作することを防止するために、各電装基板と遊技機の本体枠側（例えば、遊技盤の裏面側や機構板の裏面側等）との間に、それぞれノイズを遮蔽するためのシールド部材（例えば金属板等）を介在させるようにしたものがある。
【０００３】
このような各電装基板のシールド部材は、帯電防止のためにアース接続する必要があり、そのために、各電装基板のシールド部材に、それぞれアース線を接続して遊技機の適宜箇所にアース接続したり、或は、各電装基板のシールド部材を、それぞれビス等を介して電装基板のＧＮＤラインに電気的に接続してアース接続するようにしている。
【０００４】
しかし、これらの方法は、いずれも各電装基板のシールド部材毎に、それぞれアース接続する必要があるため、アース接続作業に手間が掛かり、その分、組立能率が低下するという欠点があった。
【０００５】
そこで、特許文献１（特開平１１−３３３１１１号公報）に記載されているように、制御基板を収納した２つの制御ユニットに対して共通の１枚のシールド部材を設けることで、この共通の１枚のシールド部材をアース接続するだけでアース接続作業が済むようにしたものがある。
【０００６】
また、特許文献２（特開２００３−２１０８０１号公報）に記載されているように、制御基板を収納した２つの基板ボックスに、それぞれシールド部材を一体的に設け、各基板ボックスを本体枠側に組み付けたときに、各基板ボックスのシールド部材が互いに接触して電気的に接続されるようにすることで、いずれか１枚のシールド部材をアース接続するだけでアース接続作業が済むようにしたものがある。
【特許文献１】特開平１１−３３３１１１号公報（第６頁、第２図等）
【特許文献２】特開２００３−２１０８０１号公報（第１２頁、第６図等）
【発明の開示】
【発明が解決しようとする課題】
【０００７】
しかし、上記特許文献１の技術では、複数の制御ユニットと本体枠側との間に共通の１枚のシールド部材を介在させることになるため、そのシールド部材の前面側（本体枠側）に配置された部品の検査、修理、交換等のメインテナンスを行う場合には、そのメインテナンス対象部品がいずれか一方の制御ユニットの前面側にしか存在していなくても、シールド部材と複数の制御ユニットを全て取り外す必要があり、その分、制御基板の信号線や電源線のコネクタの脱着作業等が多くなって、メインテナンス作業性があまり良くないという欠点がある。
【０００８】
また、上記特許文献２の技術では、各基板ボックス毎にそれぞれシールド部材を一体的に設けるため、例えば、基板ボックスのメインテナンスを行うために、いずれかの基板ボックスを取り外す毎にシールド部材が取り外されることになる。このため、シールド部材が取り外される頻度が多く、その分、シールド部材同士の電気的接続不良が発生する可能性が高くなり、シールド部材の電気的接続の信頼性が低下するという欠点がある。
【０００９】
本発明は、これらの事情を考慮してなされたものであり、従って本発明の目的は、複数の電装基板のシールド部材のアース接続作業を簡単化して組立性を向上させながら、遊技機のメインテナンス性及びシールド部材の電気的接続の信頼性を向上させることができる遊技機を提供することにある。
【課題を解決するための手段】
【００１０】
上記目的を達成するために、本発明の請求項１に記載の遊技機は、遊技機側に設けられた取付部に配置された複数の電装基板に対して、それぞれノイズを遮蔽するためのシールド部材を設けたものにおいて、これらのシールド部材のうちの特定の電装基板用のシールド部材を該特定の電装基板と一体的又は別々に脱着可能に設けると共に、他の電装基板用のシールド部材を取付部に設置し、特定の電装基板を取付部に組み付けたときに、該特定の電装基板用のシールド部材の接触部が他の電装基板用のシールド部材の接触部に接触して電気的に接続されるように構成したものである。
【００１１】
この構成では、いずれか１枚のシールド部材をアース接続するだけで複数の電装基板のシールド部材のアース接続作業が完了する。また、メインテナンス対象部品の裏面側に、特定の電装基板と一体的又は別々に脱着可能なシールド部材を配置すれば、そのシールド部材が取り外されることにより、そのシールド部材の前面側の部品のメインテナンスを行うことができるため、複数の電装基板を全て取り外す必要はなく、メインテナンス作業性が向上する。また、特定の電装基板を取り外すときにしかシールド部材が取り外されず、他の電装基板を取り外したときにはシールド部材が取付部側に設置されたまま残るため、シールド部材が取り外される頻度が少なくなり、その分、シールド部材同士の電気的接続不良が発生する可能性が少なくなって、シールド部材同士の電気的接続の信頼性が向上する。
【００１２】
この場合、請求項２のように、他の電装基板用のシールド部材を、遊技機側に設けられたグランド側導電部材に電気的に接続するようにすると良い。他の電装基板用のシールド部材は、他の電装基板を取り外してもシールド部材が取付部（遊技機側）に設置されたまま残るため、他の電装基板用のシールド部材を遊技機側に設けられたグランド側導電部材に電気的に接続しておけば、シールド部材とグランド側導電部材との電気的接続不良が発生する可能性が少なくなり、シールド部材のアース接続の信頼性が向上する。
【００１３】
また、請求項３のように、特定の電装基板用のシールド部材と他の電装基板用のシールド部材のうちの少なくとも一方に、接触部を弾性変形可能に形成するようにすると良い。このようにすれば、シールド部材の接触部を弾性変形させて相手側のシールド部材の接触部に適度な弾性力で圧接させることができ、シールド部材同士の電気的接続の信頼性を更に向上させることができる。
【００１４】
一般に、制御基板等の電装基板は、不正防止のために基板ボックス内に収容されているため、請求項４のように、接触部を電装基板を収容する基板ボックスの側方に突出させて、接触部と基板ボックスとの間に該接触部が弾性変形するための隙間を設けるようにすると良い。このようにすれば、基板ボックスの側方に突出させたシールド部材の接触部を確実に弾性変形させることができる。
【００１５】
また、シールド部材には、バネ性のある銅板等で形成した弾性変形可能な接触部を別部品で取り付けるようにしても良いが、請求項５のように、シールド部材を、導電性の金属板で形成し、その一部に接触部を一体的に形成するようにしても良い。このようにすれば、シールド部材の接触部を別部品で設ける必要がなく、部品点数を削減して低コスト化することができる。
【００１６】
また、請求項６のように、特定の電装基板と他の電装基板とが遊技機に対して前後方向に段差をつけて配置されている場合には、特定の電装基板用のシールド部材と他の電装基板用のシールド部材のうちの少なくとも一方は、接触部を前後方向に延びるように設けるようにすると良い。このようにすれば、特定の電装基板と他の電装基板とが前後方向に段差をつけて配置されている場合でも、リード線や他の接続部材等を用いずに、特定の電装基板用のシールド部材の接触部と他の電装基板用のシールド部材の接触部とを直接、接触させて電気的に接続することができる。
【００１７】
更に、請求項７のように、特定の電装基板を取付部に組み付ける際に、該特定の電装基板用のシールド部材の接触部を他の電装基板用のシールド部材の接触部に接触させる方向に該特定の電装基板を移動させるようにしても良い。このようにすれば、特定の電装基板用のシールド部材を他の電装基板用のシールド部材に確実に接触させることができ、シールド部材同士の電気的接続の信頼性を更に向上させることができる。
【００１８】
また、請求項８のように、パチンコ球が流下する部材又は貯溜される部材（以下これらを「球流下部材」と総称する）を導電性材料で形成し、この球流下部材とシールド部材とを電気的に接続するようにしても良い。このようにすれば、静電気が帯電しやすい球流下部材を、シールド部材を介してアース接続することができ、球流下部材に帯電した静電気を除去することができる。
【発明を実施するための最良の形態】
【００１９】
以下、本発明の一実施例を図面に基づいて説明する。
まず、図１に基づいてパチンコ機の裏面側の概略構成を説明する。パチンコ機（遊技機）の構成部材の１つである本体枠１１の裏面側には、裏部品を組み付ける機構板１２（取付部）が取り付けられている。この機構板１２の裏面上部には、パチンコ島の球補給通路（図示せず）からパチンコ球が補給される球タンク１３が設けられ、この球タンク１３には、そこから流れ出るパチンコ球を整列状態で流下させるタンクレール１４が接続されている。このタンクレール１４の下端には、球供給路１５が設けられ、この球供給路１５の下端部に、パチンコ球（賞球や貸球）を払い出す球払出装置１６が接続されている。
【００２０】
この球払出装置１６から払い出されたパチンコ球は、球払出流路１７を通ってパチンコ機の前面側に配置された球皿５０（図８参照）に排出される。また、球払出流路１７には、球払出装置１６から払い出されたパチンコ球が球払出装置１６の下方近傍まで貯溜されたことを検出する満杯検出装置１８が設けられている。また、本体枠１１の側部には、金属製の施錠装置１９が上下方向に延びるように設けられている。この施錠装置１９は、外枠（図示せず）に対して開閉可能な本体枠１１や、本体枠１１に対して開閉可能なガラス扉８５（図１４参照）を閉鎖状態で施錠するためのものである。
【００２１】
一方、遊技盤７２（図１２参照）の裏面側には、メイン制御基板ボックス２０が設けられ、このメイン制御基板ボックス２０内に、パチンコ機全体の制御を管理するメイン制御基板２１（電装基板）が収納されている。また、機構板１２の裏面下部には、払出制御基板ボックス２２と電源基板ボックス２３が設けられている。本実施例では、本体枠１１の左側下部（裏面から見て右側下部）に、パチンコ球を発射する球発射装置４７（図２参照）と、この球発射装置４７を制御する発射制御基板４８（図２参照）とが配置され、これら球発射装置４７、発射制御基板４８の裏面側に、払出制御基板ボックス２２が配置され、その側方に、電源基板ボックス２３が配置されている。払出制御基板ボックス２２内には、球払出装置１６を制御する払出制御基板２４（電装基板）が収納され、電源基板ボックス２３内には、各制御基板２１，２４等に直流電圧を供給するための電源基板２５（電装基板）が収納されている。
【００２２】
次に、図２乃至図７を用いて払出制御基板２４と電源基板２５のノイズ遮蔽構造について説明する。
図２に示すように、パチンコ球の静電気等によって発生するノイズの影響で払出制御基板２４や電源基板２５が誤動作することを防止するために、払出制御基板２４と機構板１２の裏面との間には、ノイズを遮蔽するためのシールド板金２６（シールド部材）が介在され、電源基板２５と機構板１２の裏面との間にも、シールド板金２７（シールド部材）が介在されている。これらのシールド板金２６，２７は、例えば、導電性の鉄板、銅板等の金属板で形成されている。払出制御基板２４用のシールド板金２６には、その一部を折曲加工することで接触部２８が一体的に形成され、電源基板２５用のシールド板金２７には、その一部を折曲加工することで弾性変形可能な接触部２９が一体的に形成されている。
【００２３】
払出制御基板２４用のシールド板金２６は、後述するようにして払出制御基板ボックス２２の前面に固定され、機構板１２に対して払出制御基板ボックス２２（払出制御基板２４）とシールド板金２６とが一体的に脱着可能に設けられている。一方、電源基板２５用のシールド板金２７は、後述するようにして機構板１２の裏面に固定され、この電源基板２５用のシールド板金２７が、リード線等を介して本体枠１１に設けられた施錠装置１９（図１参照）等のグランド側導電部材に接続されることでアース接続されている。
【００２４】
そして、払出制御基板ボックス２２を機構板１２の裏面に組み付けたときに、払出制御基板２４用のシールド板金２６の接触部２８がその弾性力によって電源基板２５用のシールド板金２７の接触部２９に接触して、払出制御基板２４用のシールド板金２６と電源基板２５用のシールド板金２７とが電気的に接続されるようになっている。
【００２５】
図４及び図５に示すように、機構板１２の裏面のうちの電源基板ボックス２３の取付箇所には、裏面側に突出する複数の係合部３０と、弾性変形可能な係合爪３１とが設けられ、電源基板２５用のシールド板金２７には、係合部３０に対応した係合孔３２と、係合爪３１に対応した係合孔３３とが設けられている。機構板１２の裏面に電源基板２５用のシールド板金２７を宛がって、機構板１２の各係合部３０にシールド板金２７の縁部と係合孔３２の縁部を差し込んで係合させると共に、機構板１２の係合爪３１をシールド板金２７の係合孔３３に弾性係合させることで、機構板１２の裏面に電源基板２５用のシールド板金２７が固定されている。
【００２６】
更に、図３に示すように、電源基板ボックス２３の上端部と下端部には、それぞれねじ孔３４と係合部３５が設けられ、電源基板ボックス２３の係合部３５を機構板１２の被係合部３６に差し込んで係合させた状態で、電源基板ボックス２３のねじ孔３４に挿通したねじ（図示せず）を機構板１２のボス部３７に締め付けることで、電源基板基板ボックス２３が機構板１２の裏面に脱着可能に取り付けられている。これにより、電源基板ボックス２３（電源基板２５）と機構板１２の裏面との間に、電源基板２５用のシールド板金２７が介在されている。
【００２７】
図２に示すように、電源基板２５用のシールド板金２７の接触部２９は、電源基板ボックス２３の側方に突出するように形成され、接触部２９と電源基板ボックス２３の側面との間には接触部２９が弾性変形するための隙間が設けられている。
【００２８】
一方、図６及び図７に示すように、払出制御基板ボックス２２の前面には、前面側に突出する複数の係合部３８と、弾性変形可能な係合爪３９とが設けられ、払出制御基板２４用のシールド板金２６には、係合部３８に対応した係合孔４０と、係合爪３９に対応した係合孔４１とが設けられている。払出制御基板ボックス２２の前面に払出制御基板２４用のシールド板金２６を宛がって、払出制御基板ボックス２２の係合部３８にシールド板金２６の縁部と係合孔４０の縁部を差し込んで係合させると共に、払出制御基板ボックス２２の係合爪３９をシールド板金２６の係合孔４１に弾性係合させることで、払出制御基板ボックス２２の前面に払出制御基板２４用のシールド板金２６が固定されている。
【００２９】
更に、払出制御基板ボックス２２の右端部と左端部には、それぞれねじ孔４２と係合部４３が設けられ、払出制御基板ボックス２２の係合部４３を機構板１２の被係合部４４に差し込んで係合させた状態で、払出制御基板ボックス２２のねじ孔４２に挿通したねじ（図示せず）を機構板１２のボス部４５に締め付けることで、払出制御基板ボックス２２が機構板１２の裏面に脱着可能に取り付けられている。これにより、払出制御基板ボックス２２（払出制御基板２４）と機構板１２の裏面との間に、払出制御基板２４用のシールド板金２６が介在されている。
【００３０】
図２に示すように、払出制御基板２４用のシールド板金２６の接触部２８は、払出制御基板ボックス２２の側方に突出するように形成され、払出制御基板ボックス２２を機構板１２の裏面に取り付ける際に、払出制御基板ボックス２２を移動させる方向（つまり、払出制御基板ボックス２２の係合部４３を機構板１２の被係合部４４に差し込む方向）が、払出制御基板２４用のシールド板金２６の接触部２８を電源基板２４用のシールド板金２７の接触部２９に接触させる方向となるように設定されている。
【００３１】
また、図２に示すように、機構板１２は、払出制御基板ボックス２２の取付面と電源基板ボックス２３の取付面との間に、本体枠１１に対して前後方向の段差が形成されているため、払出制御基板ボックス２２（払出制御基板２４）と電源基板ボックス２３（電源基板２５）とが本体枠１１に対して前後方向に段差をつけて配置されている。そこで、電源基板２５用のシールド板金２７の接触部２９が、電源基板ボックス２３の取付面の位置から払出制御基板ボックス２２の取付面を越える位置まで後方に延びるように設けられている。これにより、払出制御基板２４用のシールド板金２６の接触部２８が電源基板２５用のシールド板金２７の接触部２９に直接、接触できるようになっている。
【００３２】
機構板１２の裏面に払出制御基板ボックス２２を組み付けたときに、払出制御基板２４用のシールド板金２６の接触部２８が電源基板２５用のシールド板金２７の接触部２９に突き当たって、電源基板２５用のシールド板金２７の接触部２９が弾性変形することで、電源基板２５用のシールド板金２７の接触部２９が払出制御基板２４用のシールド板金２６の接触部２８に適度な弾性力で圧接して、払出制御基板２４用のシールド板金２６と電源基板２５用のシールド板金２７とが電気的に接続される。従って、電源基板２５用のシールド板金２７を施錠装置１９等のグランド側導電部材に電気的に接続してアース接続すれば、払出制御基板２４用のシールド板金２６と電源基板２５用のシールド板金２７の両方がアース接続される。
【００３３】
また、図２に示すように、機構板１２は、払出制御基板ボックス２２の取付面の一部に開口部４６が設けられ、球発射装置４７や発射制御基板４８の検査、修理、交換等のメインテナンスを行う場合には、払出制御基板２４用のシールド板金２６と一体的に脱着可能な払出制御基板ボックス２２を機構板１２から取り外して、機構板１２の開口部４６を開放することで、機構板１２の裏面側から球発射装置４７や発射制御基板４８のメインテナンスを行うことができるようになっている。
【００３４】
一方、図８に示すように、本体枠１１の前面下部には、前面パネル４９が開閉可能に設けられ、この前面パネル４９に、１皿化された大容量の球皿５０が設けられている。この球皿５０は、前面パネル４９から前方に突出した前皿部５１（球流下部材）と、この前皿部５１の後方に設けられた後皿部５２（球流下部材）とから構成されている。また、後皿部５２の上方で機構板１２の前面側には、球払出流路５３（球流下部材）が設けられ、球払出装置１６（図１参照）から払い出されたパチンコ球は、機構板１２の裏面側の球払出流路１７（図１参照）から機構板１２の前面側の球払出流路５３へ流下した後、後皿部５２内に流入して球皿５０内に貯溜される。
【００３５】
後皿部５２（又は前皿部５１と後皿部５２の両方）と球払出流路５３は、導電性樹脂で形成されて電気的に接続されている。また、本体枠１１のうちの後皿部５２の後方には、導電性の金属板で形成された板金クリップ５４が装着され、この板金クリップ５４の前面側と後面側に、それぞれ弾性変形可能な接触端子５５，５６が一体に形成されている。この板金クリップ５４の後面側の接触端子５６が、機構板１２に形成された貫通口５７から機構板１２の裏面側に露出して電源基板２５用のシールド板金２７に接触することで、板金クリップ５４と電源基板２５用のシールド板金２７とが電気的に接続されている。
【００３６】
そして、前面パネル４９を閉鎖したときに、後皿部５２の後面部が、板金クリップ５４の前面側の接触端子５５に接触することで、後皿部５２と板金クリップ５４とが電気的に接続される。これにより、後皿部５２（又は前皿部５１と後皿部５２の両方）と球払出流路５３が、板金クリップ５４及びシールド板金２７を介してアース接続されるようになっている。
【００３７】
次に、図９乃至図１１に基づいて満杯検出装置１８の構成について説明する。
図９及び図１０に示すように、機構板１２に設けられた球払出流路１７の裏面側には、中継基板５８を保持する中継基板ホルダ５９が設けられ、この中継基板ホルダ５９の前面側に、満杯検出装置１８が設けられている。この満杯検出装置１８には、満杯検出レバー６０と、この満杯検出レバー６０によってオン／オフされるマイクロスイッチ等からなる満杯検出スイッチ６１とが設けられている。
【００３８】
満杯検出レバー６０は、球払出流路１７の外壁に揺動軸６２を介して前後方向に揺動可能に支持されている。この満杯検出レバー６０の前面部には、球払出流路１７内のパチンコ球に押圧される球検出部６３が形成され、満杯検出レバー６０は、図示しないばね等により球検出部６３が球払出流路１７内に突出する方向に付勢されている。また、満杯検出レバー６０の側部には、満杯検出スイッチ６１をオン／オフするための押圧部６４（図１１参照）が球払出流路１７の外側に突出するように形成されている。
【００３９】
一方、図１１に示すように、満杯検出スイッチ６１は、中継基板ホルダ５９の前面側に固定され、機構板１２（球払出流路１７）に対して中継基板ホルダ５９と満杯検出スイッチ６１とが一体的に脱着可能に設けられている。この満杯検出スイッチ６１は、スイッチ接点をオン／オフするアーム部６５が設けられ、このアーム部６５の先端が満杯検出レバー６０の押圧部６４の後方に位置している。
【００４０】
図１０に示すように、中継基板ホルダ５９の上端部と下端部には、それぞれ係合部６７とねじ孔６８が設けられ、中継基板ホルダ５９の係合部６７を球払出流路１７の被係合部６９に差し込んで係合させた状態で、中継基板ホルダ５９のねじ孔６８に挿通したねじ（図示せず）を球払出流路１７のボス部７０に締め付けることで、中継基板ホルダ５９が球払出流路１７の裏面に脱着可能に取り付けられている。また、中継基板ホルダ５９の裏面下部には、中継基板５８に接続されるハーネス等を係止するための係止部７１が一体形成されている。
【００４１】
満杯検出装置１８は、通常時（満杯検出レバー６０の球検出部６３がパチンコ球に押圧されていないとき）は、ばね等の付勢力によって満杯検出レバー６０の球検出部６３が球払出流路１７内に突出した状態に保持される。この状態では、満杯検出レバー６０の押圧部６４が満杯検出スイッチ６１のアーム部６５を押圧しないため、満杯検出スイッチ６１がオフされている。
【００４２】
その後、球払出流路１７内に貯溜されたパチンコ球の圧力に満杯検出レバー６０の球検出部６３が押されて、満杯検出レバー６０が後方に揺動すると、満杯検出レバー６０の押圧部６４が満杯検出スイッチ６１のアーム部６５を押圧するため、満杯検出スイッチ６１がオンされる。
【００４３】
このように構成した満杯検出装置１８は、機構板１２（球払出流路１７）に対して中継基板ホルダ５９と満杯検出スイッチ６１とが一体的に脱着可能に設けられているため、中継基板ホルダ５９を機構板１２（球払出流路１７）から取り外すだけで満杯検出スイッチ６１を取り外すことができ、満杯検出スイッチ６１の検査、修理、交換等のメインテナンスを簡単に行うことができる。
【００４４】
次に、図１２乃至図１４を用いてパチンコ機の前面側の構成について説明する。
図１２に示すように、本体枠１１の前面側に支持された遊技盤７２の前面には、内レール７３、外レール７４等によってパチンコ球が転動する遊技領域７５が区画形成され、この遊技領域７５に、多数の盤面部品（センター役物、入賞装置等）が設けられている。
【００４５】
また、本体枠１１の左側下部に配置された球発射装置４７は、打球槌７６でパチンコ球を下方から打撃することで、パチンコ球をほぼ垂直上方に打ち上げるようになっている。この球発射装置４７から発射されたパチンコ球は、内レール７３と外レール７４との間に形成された案内通路７７を通って遊技領域７５の上部に打ち込まれる。
【００４６】
この案内通路７７の下方には、案内通路７７の出口部まで到達することができずに案内通路７７から下方に落下するパチンコ球（いわゆるファール球）を回収するファール球回収口７８が設けられている。また、案内通路７７の出口部には、一旦、遊技領域７５に打ち込まれたパチンコ球が、案内通路７７に逆戻りすることを防止する逆戻り防止弁７９が設けられている。
【００４７】
図１３に示すように、逆戻り防止弁７９は、弾性変形可能な金属板等により略「く」字形状に形成され、その下端部に、ロール状に曲げられたロール部８０が形成されている。また、内レール７３の先端部には、逆戻り防止弁７９を保持するための保持部８１が樹脂等により一体的に形成されている。この保持部８１に形成された丸溝８２に、逆戻り防止弁７９のロール部８０を差し込んで係合させると共に、逆戻り防止弁７９の下側部を弾性変形させた状態で保持部８１の嵌合溝８３に嵌合して逆戻り防止弁７９の下側部を嵌合溝８３の内壁に圧接させることで、逆戻り防止弁７９が保持部８１に固定されている。また、保持部８１には、逆戻り防止弁７９を前後方向に抜け止めする抜け止めリブ８４が一体形成されている。
【００４８】
ところで、本体枠１１の左側下部に配置された球発射装置４７からパチンコ球をほぼ垂直上方に打ち上げるパチンコ機では、図１４に示すように、ファール球がファール球回収口７８へ向かって落下する落下経路の前方に、ガラス扉８５の左側下端面８６（図１３では右側下端面）が位置するため、ファール球がガラス扉８５の左側下端面８６上に溜まってしまうことがある。
【００４９】
そこで、本実施例では、ガラス扉８５の下端に沿って配置された補強用板金８７をガラス扉８５の左端付近まで延長させて、補強用板金８７で左側下端面８６の上方を覆うようにしている。これにより、ファール球がガラス扉８５の左側下端面８６上に溜まってしまうことを防止するようにしている。
【００５０】
以上説明した本実施例では、払出制御基板２４用のシールド板金２６は、払出制御基板ボックス２２（払出制御基板２４）と一体的に脱着可能に設け、電源基板２５用のシールド板金２７は、機構板１２の裏面に固定する。そして、払出制御基板ボックス２２を機構板１２の裏面に組み付けたときに、払出制御基板２４用のシールド板金２６の接触部２８が電源基板２５用のシールド板金２７の接触部２９に接触して、払出制御基板２４用のシールド板金２６と電源基板２５用のシールド板金２７とが電気的に接続されるようにしている。
【００５１】
このため、１枚のシールド板金（本実施例では電源基板２５用のシールド板金２７）をアース接続するだけで、複数のシールド板金２６、２７のアース接続作業を完了することができ、シールド板金２６，２７のアース接続作業を簡単化して組立性を向上させることができる。
【００５２】
また、シールド板金２６と一体的に脱着可能な払出制御基板ボックス２２を取り外すだけで、その前面側に配置された球発射装置４７や発射制御基板４８のメインテナンスを行うことができるため、複数の基板ボックス２２，２３を両方とも取り外す必要はなく、メインテナンス作業性を向上させることができる。
【００５３】
更に、払出制御基板ボックス２２を取り外すときにしかシールド板金２６が取り外されず、電源基板ボックス２３を取り外したときにはシールド板金２７が機構板１２に固定されたまま残るため、シールド板金２７が取り外される頻度が少なくなり、その分、シールド板金２６，２７同士の電気的接続不良が発生する可能性が少なくなって、シールド板金２６，２７同士の電気的接続の信頼性を向上させることができる。
【００５４】
また、本実施例では、電源基板ボックス２３を取り外しても、機構板１２に固定されたまま残る電源基板２５用のシールド板金２７を、本体枠１１に設けられた施錠装置１９等のグランド側導電部材に接続してアース接続するようにしたので、シールド板金２７とグランド側導電部材とを安定的に接続することができて、シールド板金２７とグランド側導電部材との電気的接続不良が発生する可能性が少なくなり、シールド板金２７のアース接続の信頼性を向上させることができる。
【００５５】
しかしながら、払出制御基板２４用のシールド板金２６をグランド側導電部材に接続してアース接続するようにしても良い。また、電源基板２５用のシールド板金２７を金属製のスペーサやねじ等を介して電源基板２５のＧＮＤラインに電気的に接続してアース接続するようにしても良い。或は、払出制御基板２４用のシールド板金２６を金属製のスペーサやねじ等を介して払出制御基板２４のＧＮＤラインに電気的に接続してアース接続するようにしても良い。
【００５６】
また、払出制御基板２４用のシールド板金２６は、払出制御基板ボックス２２（払出制御基板２４）と別々に脱着可能に設けるようにしても良い。
【００５７】
また、本実施例では、電源基板２５用のシールド板金２７に弾性変形可能な接触部２９を設けるようにしたので、電源基板２５用のシールド板金２７の接触部２９を弾性変形させて払出制御基板２４用のシールド板金２６の接触部２８に適度な弾性力で圧接させることができ、シールド板金２６，２７同士の電気的接続の信頼性を更に向上させることができる。しかも、電源基板２５用のシールド板金２７の接触部２９と電源基板ボックス２３の側面との間に接触部２９が弾性変形するための隙間を設けるようにしたので、シールド板金２７の接触部２９を確実に弾性変形させることができる。
【００５８】
尚、シールド板金２６，２７の両方に弾性変形可能な接触部２８，２９を設けるようにしても良い。
また、本実施例では、シールド板金２６，２７の一部を折曲加工することで接触部２８，２９を一体形成するようにしたので、シールド板金２６，２７の接触部２８，２９を別部品で設ける必要がなく、部品点数を削減して低コスト化することができる。
【００５９】
しかしながら、シールド板金２６，２７は、バネ性のある銅板等で形成した弾性変形可能な接触部を別部品で取り付けるようにしても良い。
また、本実施例では、払出制御基板ボックス２２と電源基板ボックス２３とが前後方向に段差をつけて配置されているが、電源基板２５用のシールド板金２７の接触部２９を、電源基板ボックス２３の取付面の位置から払出制御基板ボックス２２の取付面を越える位置まで後方に延びるように設けたので、リード線や他の接続部材等を用いずに、払出制御基板２４用のシールド板金２６の接触部２８を電源基板２５用のシールド板金２７の接触部２９に直接、接触させて電気的に接続することができる。
【００６０】
更に、本実施例では、払出制御基板ボックス２２を機構板１２の裏面に取り付ける際に、払出制御基板ボックス２２を移動させる方向（つまり、払出制御基板ボックス２２の係合部４３を機構板１２の被係合部４４に差し込む方向）が、払出制御基板２４用のシールド板金２６の接触部２８を電源基板２５用のシールド板金２７の接触部２９に接触させる方向となるようにしたので、払出制御基板２４用のシールド板金２６の接触部２８を電源基板２５用のシールド板金２７の接触部２９に確実に接触させることができ、シールド板金２６，２７同士の電気的接続の信頼性を更に向上させることができる。
【００６１】
また、本実施例では、後皿部５２（又は前皿部５１と後皿部５２の両方）と球払出流路５３を導電性樹脂で形成し、後皿部５２（又は前皿部５１と後皿部５２の両方）と球払出流路５３とを、板金クリップ５４を介してシールド板金２７と電気的に接続するようにしたので、静電気が帯電しやすい後皿部５２（又は前皿部５１と後皿部５２の両方）と球払出流路５３を、シールド板金２７を利用してアース接続することができ、後皿部５２（又は前皿部５１と後皿部５２の両方）と球払出流路５３に帯電した静電気を除去することができる。
【００６２】
尚、上記実施例は、本発明を払出制御基板２４と電源基板２５に対するノイズ遮蔽構造に適用した実施例であるが、これに限定されず、パチンコ機に設けられる種々の電装基板（メイン制御基板、画像制御基板、ランプ制御基板、音声制御基板、払出制御基板、電源基板、中継基板等）のうちの２つ又は３つ以上の電装基板に対するノイズ遮蔽構造に本発明を適用しても良い。
【００６３】
また、本発明の適用箇所は、本体枠の裏側に限定されず、本体枠の前側、機構板、遊技盤の裏側、ガラス枠の裏側等、遊技機の構成部材であれば、どの箇所で適用しても良い。
また、本発明の適用範囲は、一般のパチンコ機に限定されず、アレンジ式のパチンコ機やパチンコ球を使用してスロットルゲームを行う遊技機等、種々の遊技機に本発明を適用しても良い。
【図面の簡単な説明】
【００６４】
【図１】本発明の一実施例におけるパチンコ機の裏面図である。
【図２】図１のＡ−Ａ断面図である。
【図３】電源基板ボックス及びその周辺部の縦断側面図である。
【図４】電源基板ボックスを取り外した状態を示す機構板の部分裏面図である。
【図５】電源基板ボックスを取り外した状態を示す機構板の部分横断面図である。
【図６】払出制御基板ボックス及びその周辺部の横断面図である。
【図７】払出制御基板ボックスの前面図である。
【図８】パチンコ機下部の縦断側面図である。
【図９】満杯検出装置及びその周辺部の裏面図である。
【図１０】満杯検出装置及びその周辺部の縦断側面図である。
【図１１】満杯検出装置及びその周辺部の側面図である。
【図１２】パチンコ機の正面図である。
【図１３】逆戻り防止弁及びその周辺部の斜視図である。
【図１４】ガラス扉の左側下端部を裏面から見た斜視図である。
【符号の説明】
【００６５】
１１…本体枠、１２…機構板（取付部）、２２…払出制御基板ボックス、２３…電源基板ボックス、２４…払出制御基板（電装基板）、２５…電源基板（電装基板）、２６，２７…シールド板金（シールド部材）、２８，２９…接触部、４７…球発射装置、４８…発射制御基板、５０…球皿、５１…前皿部（球流下部材）、５２…後皿部（球流下部材）、５３…球払出流路、５４…板金クリップ、５５，５６…接触端子
【図１】
2005245907.tif 000003
【図２】
2005245907.tif 000004
【図３】
2005245907.tif 000005
【図４】
2005245907.tif 000006
【図５】
2005245907.tif 000007
【図６】
2005245907.tif 000008
【図７】
2005245907.tif 000009
【図８】
2005245907.tif 000010
【図９】
2005245907.tif 000011
【図１０】
2005245907.tif 000012
【図１１】
2005245907.tif 000013
【図１２】
2005245907.tif 000014
【図１３】
2005245907.tif 000015
【図１４】
2005245907.tif 000016